(57)【特許請求の範囲】
【請求項１】
識別対象となる紙葉類の搬送路において磁束を形成し、前記紙葉類の搬送に伴う磁束変化に基づいて前記紙葉類に関する識別を行う紙葉類識別装置であって、
前記磁束を形成する複数の磁性体と前記磁束変化を検知する複数の磁気センサーとを、前記紙葉類の搬送方向と交差する搬送路幅方向に沿って配設して構成された磁気検知部と、
該磁気検知部を通過する前記紙葉類と前記磁気検知部との隔たりを調整するよう搬送過程の前記紙葉類に作用する複数の搬送調整部とを備え、
複数の前記磁気センサーは、検知感度の高い高感度部位と検知感度の低い低感度部位とを搬送路幅方向に沿って並べて備えて、前記磁性体に対向して配設され、
前記搬送調整部は、隣り合う前記磁性体の境界部分において前記磁気検知部と向き合って配置され、隣り合う前記搬送調整部は、間隔を隔てて配置された上で前記高感度部位を挟んで隣り合って前記磁気検知部と向き合って配置されている
紙葉類識別装置。
【請求項２】
前記磁気検知部は、複数の前記磁気センサーを、検知感度の高い高感度センサーと検知感度の低い低感度センサーとを並べて構成する請求項１に記載の紙葉類識別装置。
【請求項３】
請求項１または請求項２に記載の紙葉類識別装置であって、
前記磁気検知部は、前記磁束を形成する複数の前記磁性体を隣り合う磁性体ごとに磁極の向きを変えて前記搬送路幅方向に沿って隣接配置し、磁気効果をセンサー検知原理とする複数の前記磁気センサーを前記磁性体ごとに対向配置して備え、
隣り合う前記磁性体の境界を前記低感度部位として、該境界を含んで前記搬送調整部を前記磁性体と向き合わせ、
隣り合う前記搬送調整部を、搬送調整部同士の間隔が前記磁性体と向き合うよう並んで配置する
紙葉類識別装置。
【請求項４】
前記搬送調整部のそれぞれは、前記搬送方向に沿った前記紙葉類の搬送を来すよう駆動回転する搬送ローラーとされている請求項１ないし請求項３のいずれかに記載の紙葉類識別装置。
【請求項５】
前記搬送調整部は、前記搬送方向に沿って搬送される前記紙葉類を挟んで前記磁気検知部と対向する対向部材と、該対向部材に係合され前記磁気検知部に向けた前記対向部材の動きをもたらす弾性保持部材とを備える請求項１ないし請求項３のいずれかに記載の紙葉類識別装置。
【請求項６】
隣り合う前記対向部材は、共通の前記弾性保持部材に係合されている請求項５に記載の紙葉類識別装置。
【請求項７】
前記複数の搬送調整部は、前記搬送路幅方向に沿った幅に広狭の差があり、幅広の前記搬送調整部は、前記磁気センサーの前記低感度部位にて前記磁気検知部と向き合うように配置されている請求項１ないし請求項６のいずれかに記載の紙葉類識別装置。
【発明の詳細な説明】
【技術分野】
【０００１】
本発明は、紙幣や有価証券と言った紙葉類の識別を行う紙葉類識別装置に関する。
【背景技術】
【０００２】
この種の紙葉類識別装置は、紙幣の金種、真偽、破損有無と言った識別のため、例えば紙幣の入出金を図る現金自動取引装置に搭載され、種々の識別手法が提案されている。この一手法として、紙幣の磁気的な特性を利用した識別手法が知られており（例えば、特許文献１）、磁気的特性を利用する故の利点がある。
【０００３】
紙幣の偽造回避の実効性を高めるため、磁性インクで図柄や線図等のセキュリティースレッドを紙幣に印刷することが多々なされている。そして、このセキュリティースレッドは、磁性インクによる印刷部位なため磁気的な特異な特性を呈するので、紙幣を搬送しつつ磁気的変化を磁気センサーにて検知すれば、こうした磁気的変化に基づいた識別精度が高まる。その一方、磁気センサーについても種々の技術が提案されており（例えば、特許文献２等）、これら技術では、磁気センサーの一例である磁気抵抗素子の配列を工夫することで、その性能向上が図られている。
【先行技術文献】
【特許文献】
【０００４】
【特許文献１】特開２００６−２２１２１９号公報
【特許文献２】特開２００３−１０７１４２号公報
【特許文献３】実用新案登録第３１０５２３８号公報
【発明の概要】
【発明が解決しようとする課題】
【０００５】
ところで、紙幣の搬送に際しては、搬送の支障となる搬送ジャムの抑制を図る都合上、搬送路幅方向の全域に亘って紙幣全面をセンサー検知面側に押し付けるようなことはできず、紙幣の押し付けは搬送路幅方向において間欠的にしか行えない。このため、紙幣と磁気センサーのセンサー検知面との間隔（以下、検知間隔と称する）を、搬送路幅方向において一定とはし難い。
【０００６】
その一方、磁気センサーの配列の工夫により性能向上が図られたとしても、搬送路幅方向において検知感度を一定とすることは難しい。例えば、磁束の効果的な形成を図るために複数の永久磁石等の磁性体を搬送路幅方向に沿って並べた場合、磁石の隣り合う箇所と一つの磁石の例えば中央箇所では、搬送される紙幣とは無関係に磁束密度が相違する。このため、磁石の隣り合う箇所での磁気検知を行う磁気センサーと磁石中央箇所での磁気検知を行う磁気センサーとでは、検知基準となる磁束密度が相違すると共に、上記したように検知間隔が同じとならない可能性があるため、紙幣搬送に伴う検知感度の低下や検知感度のバラツキが生じ得る。
【０００７】
また、紙幣には、既述したようなセキュリティースレッドが印刷されることが多々あり、紙幣におけるセキュリティースレッドの形成位置やその形状等は紙幣種別ごとに一律である。ところが、紙幣搬送の際の紙幣位置は搬送路幅方向において一律とは限らないので、紙幣搬送のたびに、セキュリティースレッドが通過する搬送路幅方向位置も変わり、セキュリティースレッドが上記した検知感度のバラツキ発生箇所に合致するよう紙幣が搬送されたり、合致しないで搬送されたりする。そうすると、検知感度のバラツキ発生箇所に合致した場合と合致しない場合では、セキュリティースレッドの有する磁気的特性により検知感度のバラツキがより顕在化するので、その検知結果のノイズが増えてしまう。なお、こうした状況は、紙幣に限らず有価証券等の紙葉類についても同様である。
【０００８】
本発明は、上述した従来の課題の少なくとも一部を解決するためになされたものであり、搬送ジャムの抑制を図った上で、セキュリティースレッドによる検知感度のバラツキの顕在化を抑制することをその目的とする。
【課題を解決するための手段】
【０００９】
本発明は、上述の課題の少なくとも一部を解決することを目的としてなされたものであり、以下の構成を採用した。
【００１０】
[適用１：紙葉類識別装置]
識別対象となる紙葉類の搬送路において磁束を形成し、前記紙葉類の搬送に伴う磁束変化に基づいて前記紙葉類に関する識別を行う紙葉類識別装置であって、
前記紙葉類の搬送方向と交差する搬送路幅方向に沿って設けられ、前記磁束を形成しつつ前記磁束変化を検知する磁気検知部と、
該磁気検知部を通過する前記紙葉類と前記磁気検知部との隔たりを調整するよう搬送過程の前記紙葉類に作用する複数の搬送調整部とを備え、
該複数の搬送調整部の少なくとも一つは、前記磁気検知部において前記搬送路幅方向に沿って現れる検知感度のバラツキに対応して前記搬送路幅方向に沿って配置されている
ことを要旨とする。
【００１１】
上記構成を備える紙葉類識別装置は、搬送過程の紙葉類と磁気検知部との隔たりを複数の搬送調整部にて調整するに当たり、この複数の搬送調整部を、紙葉類の搬送方向と交差する搬送路幅方向に沿って配置する。よって、搬送調整部による紙葉類の隔たり調整箇所は、搬送路幅方向において間欠的となり、紙葉類の搬送に際しての搬送ジャムを抑制できる。こうして複数の搬送調整部を搬送路幅方向に沿って配置する際には、その配置位置を、磁気検知部において搬送路幅方向に沿って現れる検知感度のバラツキに対応したものとする。そして、こうした配置位置を採る搬送調整部は、紙葉類と磁気検知部との隔たり調整を検知感度のバラツキを抑制する側に行うよう、隔たり調整のために紙葉類に作用し、隣り合う搬送調整部の間では、こうした隔たり調整を行わないようにできる。このため、仮に、紙葉類の一つである紙幣のセキュリティースレッドがその有する磁気的特性により磁気検知部の検知感度のバラツキを顕在化するような位置にあっても、当該セキュリティースレッドの紙幣部位を磁気検知部との隔たりをバラツキの抑制側に調整することで、セキュリティースレッドの磁気的特性による影響を大きく変えないようにできる。また、隣り合う搬送調整部の間では、こうした隔たり調整はなされないので、セキュリティースレッドの紙幣部位を磁気検知部から遠ざけることが可能となり、セキュリティースレッドの磁気的特性による影響を弱めることができる。この結果、上記構成を備える紙葉類識別装置によれば、セキュリティースレッドによる磁気検知部の検知感度のバラツキの顕在化を、紙葉類の搬送に際しての搬送ジャムを抑制した上で、抑制できる。
【００１２】
上記構成を備える紙葉類識別装置は、次のような態様とすることができる。例えば、前記磁気検知部の検知感度が他の部位に比べて低い低感度部位において、前記搬送調整部を前記磁気検知部と向き合って配置するようにできる。こうすれば、低感度部位において紙葉類のセキュリティースレッドを磁気検知部から遠ざけないようにして磁気検知部との隔たりをバラツキ抑制側に調整できるので、低感度部位での磁束変化をセキュリティースレッドの磁気的特性により大きくして、感度低下を抑制できる。
【００１３】
この場合、前記磁気検知部の検知感度が他の部位に比べて高い高感度部位において隣り合う前記搬送調整部を、間隔を隔てて配置した上で、該高感度部位を挟んで隣り合うようにできる。こうすれば、高感度部位において紙葉類のセキュリティースレッドを磁気検知部から遠ざけるようにできるので、セキュリティースレッドの磁気的特性が磁束変化に及ぼす影響を弱めて高感度部位での磁束変化を小さくし、感度過剰を抑制できる。
【００１４】
このように高低の感度部位に対応して搬送調整部を配置するに当たり、前記磁気検知部にあっては、これを、前記磁束を形成する複数の磁性体を隣り合う磁性体ごとに磁極の向きを変えて前記搬送路幅方向に沿って隣接配置し、磁気効果をセンサー検知原理とする複数の磁気センサーを前記磁性体ごとに対向配置して備えるものとし、前記複数の搬送調整部については、隣り合う前記磁性体の境界を前記低感度部位として、該境界を含んで前記搬送調整部を前記磁性体と向き合わせ、隣り合う前記搬送調整部を、搬送調整部同士の間隔が前記磁性体と向き合うよう並んで配置するようにできる。
【００１５】
複数の磁性体を隣り合う磁性体ごとに磁極の向きを変えて搬送路幅方向に沿って隣接配置すれば、効率的に磁束を形成できるが、隣り合う磁性体の境界では、隣り合う磁性体間の磁束の結びつきが強く、磁束変化が起き難くなるので、磁気効果をセンサー検知原理とする磁気センサーの検知感度の低下を来しやすい。その一方、磁性体では、その隣の磁性体との境界から離れると、磁束の結びつきが弱くなるので、磁束変化が起き易くなり磁気センサーの検知感度が過剰となり易い。つまり、磁束形成の上から上記した磁性体配置を取ると、その構成の上から磁気センサーの検知感度の高低のバラツキを生じる。ところが、検知感度の低下を来しやすい磁性体の境界では、その境界を含んで搬送調整部が磁性体に向き合うので、セキュリティースレッドを磁気センサーから遠ざけないようにしてセキュリティースレッドによる磁束変化を大きくでき、これにより感度低下を抑制できる。その一方、隣の磁性体との境界から離れた磁性体の部位では、検知感度が過剰となり易いものの、セキュリティースレッドを遠ざけることで、セキュリティースレッドの磁気的特性が磁束変化に及ぼす影響を弱めて高感度部位での磁束変化を小さくし、感度過剰を抑制できる。
【００１６】
そして、搬送調整部については、そのそれぞれを、前記搬送方向に沿った前記紙葉類の搬送を来すよう駆動回転する搬送ローラーとでき、こうすれば、搬送ローラーによる紙葉類搬送を図りつつ、搬送ジャムの抑制と、セキュリティースレッドによる検知感度のバラツキの顕在化の抑制を両立できる。
【００１７】
こうした搬送ローラーの他、前記搬送調整部を、前記搬送方向に沿って搬送される前記紙葉類を挟んで前記磁気検知部と対向する対向部材と、該対向部材に係合され前記磁気検知部に向けた前記対向部材の動きをもたらす弾性保持部材とを備えるものとしたり、隣り合う前記対向部材を共通の前記弾性保持部材に係合させるようにできる。こうしても、搬送ジャムの抑制と、セキュリティースレッドによる検知感度のバラツキの顕在化の抑制を両立できる。なお、磁気検知部が鉛直方向の下方側に位置し、搬送調整部が鉛直方向の上側に位置すれば、弾性保持部材にて対向部材を吊り下げ保持することで、対向部材は、その自重で紙葉類を磁気検知部の側に押し付けて磁気検知部との隔たりを規定内に収まるようにする。この逆であれば、弾性保持部材は、その弾性力を対向部材に作用させることで、紙葉類を磁気検知部の側に押し付けて磁気検知部との隔たりを規定内に収まるようにする。
【００１８】
この他、前記複数の搬送調整部を、前記搬送路幅方向に沿った幅に広狭の差があるものとし、幅広の前記搬送調整部を前記磁気検知部の検知感度が他の部位に比べて低い低感度部位にて前記磁気検知部と向き合うように配置することができる。こうすれば、低感度部位では、セキュリティースレッドを磁気抵抗素子から遠ざけないようにすることが簡便で確実となる。
【図面の簡単な説明】
【００１９】
【図１】本実施例にかかる紙幣取扱装置１０１を搭載した現金自動取引装置１００の外観を示す斜視図である。
【図２】紙幣取扱装置１０１の概略構成を示す側断面図である。
【図３】上部ユニット１０１ａを説明する説明図である。
【図４】紙幣取扱装置１０１の制御ユニット８０を示すブロック図である。
【図５】紙幣識別部４０における鑑別用搬送路４０Ｐにて搬送される紙幣Ｓとその搬送に関与する検知部対向搬送ローラー２０２とを概略的に側面視して示す説明図である。
【図６】磁気検知部２１０と検知部対向搬送ローラー２０２との関係を紙幣Ｓの搬送方向上流側から見て概略的に示す説明図である。
【図７】磁気検知部２１０の構成と検知部自体が発生する磁界の様子を概略的に示す説明図である。
【図８】磁気抵抗素子２１４からの出力の様子を説明する説明図である。
【図９】磁気抵抗素子２１４の特性とこの特性をもたらす磁気回路パターンの一例を概略的に示す説明図である。
【図１０】磁気検知部２１０への紙幣Ｓの搬送の様子を搬送路上方から俯瞰して示す説明図である。
【図１１】比較例の磁気抵抗素子２１４ｈを本実施例の磁気抵抗素子２１４のように配置した場合のセンサー出力に及ぼすセキュリティースレッドＳＳの影響を説明する説明図である。
【図１２】隣り合う永久磁石２１２の境界に搬送ローラー体２０２_1〜２０２_2を配置し永久磁石２１２の中央領域を隣り合う搬送ローラー体の間とした場合のセンサー出力の様子を示す説明図である。
【図１３】図１２図相当であり検知感度に高低の特性を持たせた本実施例の磁気抵抗素子２１４を配置した場合のセンサー出力の様子を示す説明図である。
【図１４】検知感度に高低の特性を持たせた磁気抵抗素子２１４の配置の様子と検知部対向搬送ローラー２０２の各搬送ローラー体との配置の様子とを示す説明図である。
【図１５】図１４相当であり検知部対向搬送ローラー２０２に代わる第１変形例の検知部対向ローラー３００の各対向ローラー体３０２の配置の様子を示す説明図である。
【図１６】検知部対向搬送ローラー２０２に代わる検知部対向体３５０の各対向体３５２の配置の様子を示す説明図である。
【図１７】また別の変形例における磁気抵抗素子２１４の構成を示す説明図である。
【図１８】図１４相当図でありこの変形例の磁気抵抗素子２１４を用いた場合のその配置の様子を示す説明図である。
【発明を実施するための形態】
【００２０】
以下、本発明の実施の形態について、その実施例を図面に基づき説明する。図１は本実施例にかかる紙幣取扱装置を搭載した現金自動取引装置１００の外観を示す斜視図である。現金自動取引装置１００は、銀行などの金融機関によって管理され、利用者（顧客）の操作に応じて各種取引を行うための装置である。現金自動取引装置１００は、紙幣取扱装置１０１と、硬貨取扱装置１０２と、通帳取扱装置１０３と、カード明細票取扱装置１０４と、顧客操作部１０５とを備えている。また、図示は省略しているが、現金自動取引装置１００は、電源ユニットや、現金自動取引装置１００の全体を制御するための本体制御ユニットを備えている。
【００２１】
紙幣取扱装置１０１は、利用者との紙幣の授受を行うための装置である。硬貨取扱装置１０２は、利用者との硬貨の授受を行う。通帳取扱装置１０３は、通帳を取り扱い、取引に応じて、通帳に記されたマークなどの読み取りや、印字処理などを行う。カード明細票取扱装置１０４は、磁気ストライプカード（いわゆるキャッシュカード）に記録された情報を読み取ったり、取引に応じて、その内容を記録した取引明細票を発行したりする。顧客操作部１０５は、入出金取引のための情報表示および入出金取引のための操作入力を行うための利用者とのインタフェースである。
【００２２】
図２は紙幣取扱装置１０１の概略構成を示す側断面図である。紙幣取扱装置１０１は、上部に配置された上部ユニット１０１ａと、下部に配置された金庫ユニット１０１ｂと、両ユニットを制御する制御ユニット８０とを備えており、紙幣の搬送路を、限られた内部スペースに配置し、金庫ユニット１０１ｂを多目的に利用可能としている。以下、紙幣取扱装置１０１の各部の構成について説明する。
【００２３】
図３は上部ユニット１０１ａを説明する説明図である。上部ユニット１０１ａは、概ね、利用者との紙幣の授受に必要な機構を備えており、紙幣入出金部３０と、紙幣識別部４０（紙葉類判別部）と、一時保管庫５０と、取り忘れ紙幣収納庫６０と、紙幣を各部の間で搬送する搬送機構とを備えている。
【００２４】
紙幣入出金部３０は、利用者が紙幣の預け入れを行なう入金部３０ａと、紙幣の払い出しを行なう出金部３０ｂ（集積部）とを備え、これらは仕切板３１により仕切られるとともに、出金部３０ｂに集積された紙幣を入金部３０ａ側に移動させるための押圧板３２を設けている。紙幣識別部４０は、紙幣の金種、真偽、および、リジェクト紙幣であるか否かを鑑別し、その鑑別結果を制御ユニット８０（図２）に出力する機構であり、例えば、紙幣をスキャンして得られる画像データ、紙幣の表面の凹凸形状、磁気特性、紫外線などに対する光学特性など種々の情報を利用して行うことができる。このうち、磁気特性の検知に関する事項が、本願発明の要旨と関連し、これについては後述する。なお、リジェクト紙幣は、紙幣の真偽により不適合な紙幣であるか、重なり合ったり、折れ曲がったりして真偽が不明な紙幣などをいう。一時保管庫５０は、紙幣入出金部３０と金庫ユニット１０１ｂとの間の紙幣の搬送過程において、紙幣を一時的に保管する機構である。取り忘れ紙幣収納庫６０は、利用者が取り忘れた紙幣を集積する機構である。
【００２５】
搬送機構は、紙幣入出金部３０の入金部３０ａから紙幣を回収する入金用搬送路３０Ｐａと、出金部３０ｂへ紙幣を繰り出す出金用搬送路３０Ｐｂと、鑑別用搬送路４０Ｐと、一時保管用搬送路５０Ｐａと、リジェクト用搬送路６０Ｐとを備えている。鑑別用搬送路４０Ｐおよび一時保管用搬送路５０Ｐａなどの搬送路は、双方向に搬送可能に構成されており、鑑別用搬送路４０Ｐが本願発明の要旨と関連するので、当該搬送路構成については後述する。搬送路の分岐箇所には、ゲート３１Ｇ，３２Ｇ，５０Ｇなどが配置され、上述した搬送路における紙幣の搬送方向を切り替えるように構成されている。また、紙幣取扱装置１０１には、紙幣を検出するためのセンサーが配置されている。すなわち、紙幣識別部４０に通過センサー４０Ｓが配置され、一時保管庫５０に空検知センサー５０Ｓａおよび満杯検知センサー５０Ｓｂが配置されている。これらのセンサーの検出信号は、制御ユニット８０に送られ、紙幣の通過や紙幣の有無の判定に使用される。
【００２６】
図２において、金庫ユニット１０１ｂは、紙幣収納庫７０（紙葉類収納庫）、搬送機構、センサーおよびゲートを備え、上部ユニット１０１ａとの間で紙幣を双方向に搬送する機構である。紙幣収納庫７０は、４個の紙幣用カセット７１〜７４を備え、それらはほぼ同じ構成であり、扱う紙幣の種類が異なっており、例えば、１万円、５千円、千円、２千円を収納する紙幣庫として用いている。４個の紙幣用カセット７１〜７４は、同じ構成である。なお、これら紙幣用カセットとカセット間の紙幣収納のための収納用搬送路７０Ｐについては、本願発明の要旨と直接関係しないので、その説明についてはこれを省略する。
【００２７】
図４は紙幣取扱装置１０１の制御ユニット８０を示すブロック図である。制御ユニット８０は、主制御部８１を中心に構成され、金融機関に設置される自動取引装置のホストコンピューターなどの上位装置ＨＣからの指令を回線制御部９０を介して受け渡すとともに、上述したセンサーからの信号に基づいて各部を制御する。
【００２８】
主制御部８１は、中央制御部８２を中心に構成され、プログラムや種々の情報を記憶する記憶部８３や、中央制御部８２により制御される各制御部を備えている。各制御部として、紙幣入出金部３０に対して紙幣の分離や集積などを制御する入出金制御部８４と、紙幣識別部４０の紙幣の識別結果を出力する識別制御部８５と、一時保留部制御部８６に対して紙幣の分離や集積を制御する一時保留部制御部８６と、紙幣収納庫７０に対して紙幣の分離や集積などを制御する収納庫制御部８７とを備えている。このうち、識別制御部８５は、データ処理部８５ａと真偽識別部８５ｂを備え、紙幣識別部４０が備える後述の光学センサー１５４や磁気検知部２１０にける磁気抵抗素子２１４からのセンサー出力を入力する。データ処理部８５ａは、これらセンサー入力を調整したり種々の変換を図り、真偽識別部８５ｂは、データ処理部８５ａからのデータに基づいて紙幣の真偽や金種等を識別する。
【００２９】
制御ユニット８０は、主制御部８１により駆動される駆動部やセンサーなどを備えている。駆動部は、紙幣の通過を検出する通過センサーや満杯検知センサー等のセンサーを制御するセンサー駆動部９１と、紙幣を所定の集積先に搬送するようにゲートを切り替えるゲート駆動部９２と、搬送路駆動モータを制御する搬送路モータ駆動部９３と、搬送路の移動量を計数する搬送路移動量計数部９４と、搬送異常を検出する紙幣搬送監視部９５とを備えている。紙幣搬送監視部９５は、識別制御部８５からの識別結果を元に主制御部８１により決定した集積先の情報とセンサー駆動部９１からのセンサー情報を元に、繰出しから集積まで搬送路上の紙幣が正しく搬送されていることを監視する機能を有している。主制御部８１は、上述したセンサーなどの信号に基づいて、各駆動部などを制御することで、出金処理、入金処理などの各種の紙幣取扱処理を実行する。
【００３０】
次に、紙幣識別部４０について詳述する。図５は紙幣識別部４０における鑑別用搬送路４０Ｐにて搬送される紙幣Ｓとその搬送に関与する検知部対向搬送ローラー２０２とを概略的に側面視して示す説明図、図６は磁気検知部２１０と検知部対向搬送ローラー２０２との関係を紙幣Ｓの搬送方向上流側から見て概略的に示す説明図である。
【００３１】
図示するように、鑑別用搬送路４０Ｐは、磁気識別ユニット２００を通る搬送路とされ、搬送路上下に位置するガイドプレート１４２は、紙幣Ｓの搬送軌跡が鉛直方向上下に大きくズレないようにする。そして、この鑑別用搬送路４０Ｐにおける磁気識別ユニット２００の上下流には、上流搬送ローラー対１５０と、下流側ローラー対１５２とが位置し、磁気識別ユニット２００の磁気検知部２１０に対向して検知部対向搬送ローラー２０２が位置する。上流搬送ローラー対１５０と下流側ローラー対１５２は、一方のローラーが鑑別用搬送路４０Ｐに沿った紙幣Ｓの搬送を来すよう搬送回転し、他方のローラーはそれに従動して回転することで、紙幣Ｓを鑑別用搬送路４０Ｐに沿って搬送する。検知部対向搬送ローラー２０２は、鑑別用搬送路４０Ｐに沿った紙幣Ｓの搬送を来すよう搬送回転して紙幣搬送に関与すると共に、搬送される紙幣Ｓを磁気検知部２１０に向けて付勢する。
【００３２】
図６に示すように、検知部対向搬送ローラー２０２は、共通の回転軸２０４に間隔を持って装着された筒状の搬送ローラー体２０２_1〜２０２_iの集合として構成される。各搬送ローラー体は、鑑別用搬送路４０Ｐにおける紙幣Ｓの搬送方向と交差する搬送路幅方向に沿って配置され、上記したようにそれぞれが搬送回転する。つまり、この検知部対向搬送ローラー２０２の搬送ローラー体２０２_1〜２０２_iは、磁気検知部２１０を通過する紙幣Ｓに対して作用して、搬送過程の紙幣Ｓと磁気検知部２１０との隔たりが規定内に収まるよう調整する。この場合、搬送ローラー体２０２_1〜２０２_iの並びにおいて隣り合う搬送ローラー体間の間隔、即ち各搬送ローラー体の配置の様子は、後述する検知感度のバラツキに応じて定まる。また、搬送ローラー体２０２_1〜２０２_iの数は、後述するような搬送ローラー体配置を採った上で、鑑別用搬送路４０Ｐの搬送路幅のサイズに応じて決定される。
【００３３】
上流搬送ローラー対１５０と下流側ローラー対１５２の各ローラーにあっても、検知部対向搬送ローラー２０２と同様、筒状のローラー体の集合として構成されて、各ローラー体を搬送路幅方向に沿って配置する。この場合、上記の両ローラー対にあっては、筒状の複数のローラー体を検知部対向搬送ローラー２０２と同じピッチで配置できるが、ローラー対は磁気検知部２１０と対向していないので、検知部対向搬送ローラー２０２とは異なり所定ピッチで配置することもできる。なお、上下のガイドプレート１４２は、上記した各ローラー体と干渉しないよう、配設されていると共に、磁気検知部２１０の磁束に影響を及ぼさない非磁性材料にて形成されている。
【００３４】
この他、図５に示すように、上流搬送ローラー対１５０の上流側には、光学センサー１５４が鑑別用搬送路４０Ｐの上方に配置されている。この光学センサー１５４の側のガイドプレート１４２は、当該センサーと対向する箇所をガラス等の透光性材料を組み込んだ検知窓とする。光学センサー１５４は、鑑別用搬送路４０Ｐの搬送路幅方向に亘ってライン状に配置され、搬送されてくる紙幣Ｓの図柄を上記した検知窓越しにスキャンして紙幣Ｓの画像データを取得する。この画像データは、検出データとしてデータ処理部８５ａ（図４参照）に送られ、磁気検知部２１０による磁気的な検知結果と共に真偽識別部８５ｂにて紙幣の真偽識別等に用いられる。
【００３５】
次に、磁気検知部２１０について説明する。図７は磁気検知部２１０の構成と検知部自体が発生する磁界の様子を概略的に示す説明図である。図示するように、磁気検知部２１０は、永久磁石２１２と磁気抵抗素子２１４とを対向配置して備える。永久磁石２１２は、隣り合う永久磁石ごとに磁極の向きを変えて鑑別用搬送路４０Ｐの搬送路幅方向に沿って隣接配置されている。このため、磁気検知部２１０は、永久磁石２１２により、図中の点線で示すようにループ状の磁束Ｍを形成する。この磁束Ｍは、永久磁石２１２の磁力に基づいて形成され、隣り合う永久磁石２１２の境界を挟んでその結びつきが強く、永久磁石２１２の中央側ほど磁束Ｍの結びつきが弱まって立ち上がる。この図７において、紙面奥側から手前側の向き、或いはその逆が紙幣Ｓの搬送方向となるので、磁束Ｍは搬送される紙幣Ｓを貫くことになる。
【００３６】
磁気抵抗素子２１４は、永久磁石２１２が形成した磁束の変化を検知する。つまり、磁気抵抗素子２１４は、その表面に対となる磁気回路パターンを備え、当該回路パターンを永久磁石２１２の磁極面に対向させるので、この磁気回路パターンを垂直に貫く磁束（詳しくは、磁束密度）が変化すると、磁気回路パターンの抵抗値が変化して流れる電流が変化する。この電流の変化は、磁束変化に対応したものであることから、磁気抵抗素子２１４は磁束変化に応じた出力を生成する。図８は磁気抵抗素子２１４からの出力の様子を説明する説明図である。図示するように、磁気抵抗素子２１４は、電源２１６から所定の電圧の印加を対となる磁気回路パターンに受け、当該パターン間の電位を比較器２２２に出力する。電源２１６の電圧は、磁気抵抗素子２１４と平行の抵抗回路に含まれる抵抗２１８と抵抗２２０にも掛かり、両抵抗間の電位（定電位）も比較器２２２に出力され、比較器２２２は、その結果を増幅器２２４に出力し、その出力はＡＤ変換器２２６にて変換され、磁気抵抗素子２１４の出力となる。磁気抵抗素子２１４を垂直に貫く磁束Ｍに変化がなければ、ＡＤ変換器２２６からの磁気抵抗素子２１４の出力は一定である。ところが、磁気抵抗素子２１４を垂直に貫く磁束が変化すれば、その磁束変化に応じて磁気抵抗素子２１４から比較器２２２への出力が変化するので、この出力変化によりＡＤ変換器２２６からの磁気抵抗素子２１４の出力は変わることになり、この出力は磁束変化が反映したものとなる。
【００３７】
図９は磁気抵抗素子２１４の特性とこの特性をもたらす磁気回路パターンの一例を概略的に示す説明図である。磁気抵抗素子２１４は、図９に示すように、その中央領域において高感度とされ、その両側では低感度となる感度特性を有する。こうした感度の高低特性は、対となる磁気回路パターンＭＰを、低感度域ではパターンが疎となるよう、高感度域ではパターンが密となるように形成することで、得ることができる。この磁気抵抗素子２１４は、永久磁石２１２ごとに複数用意され、本実施例では、三つの磁気抵抗素子２１４が一つの永久磁石２１２の磁極面に対応するようにした上で、隣り合う永久磁石２１２の境界を磁気抵抗素子２１４で跨ぐようにし、この境界には、磁束変化の検知感度の高い中央領域が位置する。
【００３８】
ここで、磁気検知部２１０による磁気的特性の検知の様子について説明する。図１０は磁気検知部２１０への紙幣Ｓの搬送の様子を搬送路上方から俯瞰して示す説明図である。図示するように、紙幣Ｓは、磁気検知部２１０に向かって搬送されるが、磁気検知部２１０に対する紙幣Ｓの搬送位置は一律とはならない。これは、紙幣Ｓのサイズが金種ごとに異なると共に、ユーザーが紙幣Ｓをどのようにして紙幣取扱装置１０１の紙幣投入孔に差し入れるかが定まらないことによる。そして、紙幣Ｓに磁性インクで形成されたセキュリティースレッドＳＳは、金種ごとに異なる位置に形成されたり、紙幣Ｓの搬送位置が一律でないことから、セキュリティースレッドＳＳについても、磁気検知部２１０に対する位置が一律となることは少ない。例えば、ユーザーは、紙幣Ｓをその表裏や左右を意識して紙幣投入孔に差し込むことは少ないので、セキュリティースレッドＳＳは、図１０に示す位置と図において左右対称な位置を取り得るほか、紙幣Ｓの投入位置によっては、図１０に示す位置から左右にずれることが有り得る。なお、紙幣Ｓの一方端を規定して紙幣搬送経路位置を或る程度は規定できるものの、紙幣ＳやセキュリティースレッドＳＳの搬送経路位置が必ず定位置となるとは限らない。
【００３９】
次に、図９のようにして磁気抵抗素子２１４に感度特性を持たせた場合のセンサー出力の様子について説明するが、対比のため、感度特性に高低を持たせない比較例の磁気抵抗素子２１４ｈを用いた場合のセンサー出力について先に説明する。図１１は比較例の磁気抵抗素子２１４ｈを本実施例の磁気抵抗素子２１４のように配置した場合のセンサー出力に及ぼすセキュリティースレッドＳＳの影響を説明する説明図である。例えば、図１０に示すように紙幣Ｓが搬送される場合、図１１に示すように、セキュリティースレッドＳＳは、図における左方側の範囲において様々なパス位置を取り得る。この図１１において、紙面奥側から手前側の向き、或いはその逆が紙幣Ｓの搬送方向となる。また、紙幣Ｓは、図６に示した検知部対向搬送ローラー２０２の搬送ローラー体２０２_1等に付勢されつつ搬送されるので、磁気抵抗素子２１４ｈに近接してその隔たりは規定内に収まるよう調整される。なお、磁気抵抗素子２１４ｈの表面は、紙幣搬送に伴う素子損傷回避のため図示しないカバーで覆われている。このカバーは、非磁性材料にて形成されているので、磁気検知部２１０の磁束に影響を及ぼさない。後述する磁気抵抗素子２１４についても同様である。
【００４０】
その一方、隣り合う搬送ローラー体２０２_1等の間では、紙幣Ｓは搬送ローラー体からの付勢を受けないことから湾曲して磁気抵抗素子２１４ｈから離れる場合が生じる。このため、図１１に示すように、セキュリティースレッドＳＳは、そのパス位置に応じて磁気抵抗素子２１４ｈに対する上下位置が相違し、隣り合う搬送ローラー体２０２_1等の間では、磁気検知部２１０から遠ざかる。こうした状況は、後述する本実施例の磁気抵抗素子２１４を用いた場合も同様である。
【００４１】
セキュリティースレッドＳＳは、磁性インクで形成されていることから、永久磁石２１２が形成した磁束Ｍに影響を及ぼし、永久磁石２１２に近いほど、即ち磁気抵抗素子２１４ｈに近接したパス位置を採る場合の方が、磁気抵抗素子２１４ｈから離れたパス位置を採る場合よりも磁束Ｍを大きく変化させる。この様子は、図１１におけるセンサー出力電圧において示され、点線の出力が磁気抵抗素子２１４ｈから離れたパス位置のセキュリティースレッドＳＳの影響が反映したものとなり、実線の出力が磁気抵抗素子２１４ｈに近接したパス位置のセキュリティースレッドＳＳの影響が反映したものとなる。図に示す出力波形部位Ｐａは、永久磁石２１２の中央領域付近であるため、図７で説明したように、磁束Ｍの結びつきが弱まって磁束Ｍが立ち上がっており、当該部位に対向する磁気抵抗素子２１４ｈでは、感度に高低の差がないことから、磁気抵抗素子２１４ｈでのセンサー出力には感度のバラツキはあまり見られず、上記したようにセキュリティースレッドＳＳによる出力の高低となる。この場合、永久磁石２１２の中央では、磁束Ｍは最も立ち上がっていることから、セキュリティースレッドＳＳの影響を受け易く検知感度が高まることになる。
【００４２】
その一方、出力波形部位Ｐｂでは、当該部位は隣り合う永久磁石２１２の磁石境界であることから、図７で説明したように磁束Ｍはその結びつきが強いために、セキュリティースレッドＳＳが磁気抵抗素子２１４ｈに近接していても、磁束Ｍに大きな変化をあまりもたらせない。しかも、磁気抵抗素子２１４ｈは、その感度に高低がないことから、磁石境界に該当する出力波形部位Ｐｂでは、図１１に示すように、磁束Ｍの変化に基づく検知感度に大きなバラツキが起き、感度も低下する。
【００４３】
次に、上記した磁気抵抗素子２１４ｈによるセンサー出力を、検知部対向搬送ローラー２０２の搬送ローラー体２０２_1等による紙幣付勢との関係を加味して説明する。図１２は隣り合う永久磁石２１２の境界に搬送ローラー体２０２_1〜２０２_2を配置し永久磁石２１２の中央領域を隣り合う搬送ローラー体の間とした場合のセンサー出力の様子を示す説明図である。この図１２において、紙面奥側から手前側の向き或いはその逆が紙幣Ｓの搬送方向となり、紙面左右方向が搬送路幅方向となる。図１２と同等の図においても、同様である。
【００４４】
この図１２に示すような搬送ローラー体配置であると、隣り合う永久磁石２１２の境界（磁石境界）には、搬送ローラー体２０２_1〜２０２_2が向かい合い、これら搬送ローラー体はそのローラーの腹を磁石境界に位置させる。紙幣Ｓは、これら搬送ローラー体の付勢を受けて搬送されるので、搬送ローラー体の腹に当たる範囲では、セキュリティースレッドＳＳは磁気抵抗素子２１４ｈに近接してその隔たりは規定内に収まるよう調整される。ところが、図１２に示すように配置した磁気抵抗素子２１４ｈのそれぞれは、当該素子において検知感度に高低の差がないので、上記した隔たりが規定内とはいえ、磁石境界に対向する磁気抵抗素子２１４ｈからのセンサー出力（出力波形部位Ｐｂ）は、その両隣の磁気抵抗素子２１４ｈに比べて検知感度のバラツキが大きく、その感度も著しく低下した低感度部位となる。
【００４５】
また、隣り合う搬送ローラー体２０２_1〜２０２_2の間では、紙幣Ｓの折れ癖などが関係して、これら搬送ローラー体の付勢を受けないことから湾曲して磁気抵抗素子２１４ｈから離れる場合が生じる。そして、上記の搬送ローラー体の間に位置する磁気抵抗素子２１４ｈは、既述したように検知感度に高低の差がなく、しかも、セキュリティースレッドＳＳは、紙幣Ｓの湾曲に伴い磁気抵抗素子２１４ｈから遠ざかる。このため、上記の搬送ローラー体の間の出力波形部位Ｐｃにおける磁気抵抗素子２１４ｈのセンサー出力には、セキュリティースレッドＳＳが磁気抵抗素子２１４ｈに近接してその隔たりが規定内に収まっている場合のセンサー出力（図における実線出力）に比して、図中に点線で示すように、検知感度の大きなバラツキと著しい感度低下を来す。この出力波形部位Ｐｃでの感度バラツキと感度低下は、例えば図示する二つの搬送ローラー体２０２_1〜２０２_2を連続させた一つの搬送ローラー体とすることで改善されるものの、このようにすると、紙幣Ｓは広い範囲に亘ってローラーの腹に接触することから、紙幣Ｓの搬送ジャムを招きかねない。よって、実際の紙幣搬送の際に得られる搬送ローラー体の間の領域（出力波形部位Ｐｃ）でのセンサー出力は、紙幣Ｓの湾曲が生じた場合は、その湾曲に伴って磁気抵抗素子２１４ｈから遠ざかったセキュリティースレッドＳＳの影響を受けた図中点線で示すセンサー出力となる。
【００４６】
こうしたことに対処すべく、本実施例の現金自動取引装置１００、詳しくはこれに搭載された紙幣識別部４０では、図９で説明したように検知感度に高低の特性を有する本実施例の磁気抵抗素子２１４を用いた。まず、隣り合う永久磁石２１２の磁石境界でのセンサー検知感度のバラツキとその低下の改善について説明する。図１３は図１２図相当であり検知感度に高低の特性を持たせた本実施例の磁気抵抗素子２１４を配置した場合のセンサー出力の様子を示す説明図である。
【００４７】
図示するように、隣り合う永久磁石２１２の磁石境界には、図９に示すようにその中央領域で高感度とされた磁気抵抗素子２１４を配置し、この磁気抵抗素子２１４の高感度域を磁石境界と向かい合わせた。その上で、この磁石境界に対して、搬送ローラー体２０２_1〜２０２_2を向かい合わせ、これら搬送ローラー体のローラーの腹を磁石境界に位置させた。よって、既述したように、搬送ローラー体の腹に当たる範囲（出力波形部位Ｐｂ）では、セキュリティースレッドＳＳは磁気抵抗素子２１４ｈに近接してその隔たりは規定内に収まり、磁石境界に向き合う部位では、磁気抵抗素子２１４は高感度であるので、図中に白抜き矢印で示すように、出力波形部位Ｐｂでのセンサー出力は、検知感度のバラツキと感度低下において改善する。
【００４８】
本実施例の紙幣識別部４０では、上記した磁石境界においての磁気抵抗素子２１４の高感度域の配置および搬送ローラー体２０２_1〜２０２_2の向かい合わせ配置に加え、隣り合う搬送ローラー体の間については、次のようにした。図１４は検知感度に高低の特性を持たせた磁気抵抗素子２１４の配置の様子と検知部対向搬送ローラー２０２の各搬送ローラー体との配置の様子とを示す説明図である。図示するように、本実施例の紙幣識別部４０では、隣り合う永久磁石２１２の磁石境界への磁気抵抗素子２１４の高感度域の向かい合わせと、この磁石境界への搬送ローラー体２０２_2等の向かい合わせとに加え、隣り合う搬送ローラー体の間に磁気抵抗素子２１４の高感度域が位置するようにした。つまり、磁石境界に向かい合うことなく永久磁石２１２に向かい合う磁気抵抗素子２１４の高感度域を、隣り合う搬送ローラー体で挟むよう、搬送ローラー体を配置した。この配置により、搬送ローラー体２０２_1と搬送ローラー体２０２_2とは、磁気抵抗素子２１４の高感度域を挟んで隣り合って配置され、この配置関係は、隣り合う搬送ローラー体２０２_2と搬送ローラー体２０２_3、搬送ローラー体２０２_3と搬送ローラー体２０２_4、搬送ローラー体２０２_4と搬送ローラー体２０２_5、搬送ローラー体２０２_5と搬送ローラー体２０２_6、搬送ローラー体２０２_6と搬送ローラー体２０２_7についても同様である。その上で、隣り合う永久磁石２１２の磁石境界に向かい合う搬送ローラー体２０２_3と搬送ローラー体２０２_5とについては、これらを搬送路幅方向に長いローラー体として、低感度部位となる永久磁石２１２の磁石境界に向き合うようにした。
【００４９】
上記したように磁気抵抗素子２１４の高感度域を隣り合う搬送ローラー体で挟むようにローラー体配置を採ったので、隣り合う永久磁石２１２の境界以外の永久磁石２１２の領域（出力波形部位Ｐａ）におけるセンサー出力は、次のようになる。隣り合う搬送ローラー体２０２_1と搬送ローラー体２０２_2とを例に挙げ説明すると、当該両ローラー体の間においては、磁気抵抗素子２１４はその高感度域を位置させているので、上記両ローラー体の間におけるセンサー検知感度は高感度となる。よって、仮にセキュリティースレッドＳＳが磁気抵抗素子２１４に近接していれば、図中に実線で示すようにそのセンサー出力は大きく高まる。
【００５０】
その一方、本実施例では、紙幣Ｓに対して、搬送ローラー体２０２_1および搬送ローラー体２０２_2のローラーの腹において既述したような磁気検知部２１０からの隔たりを調整して紙幣Ｓを磁気抵抗素子２１４に近接させるものの、上記両ローラー体の間ではその調整を解く。よって、紙幣Ｓは、図示するように、上記両ローラー体の間で湾曲し、これに伴いセキュリティースレッドＳＳは磁気抵抗素子２１４から遠ざかる。そうすると、磁気抵抗素子２１４の高感度域を配置することで感度を高めるとはいえ、このように高感度となった部位（出力波形部位Ｐｂ）において、セキュリティースレッドＳＳを磁気抵抗素子２１４から遠ざけるので、図中黒塗り矢印のように、検知感度を抑制する。このような感度抑制を図ったとしても、抑制後の感度は、磁気抵抗素子２１４の高感度域の隣の低感度域での検知感度と同程度の感度を得ることができる。
【００５１】
以上説明したように、本実施例の現金自動取引装置１００では、その搭載した紙幣識別部４０において紙幣Ｓの磁気的な検知を行うに当たり、磁束を形成する複数の永久磁石２１２を隣り合う磁石ごとに磁極の向きを変えて鑑別用搬送路４０Ｐの搬送路幅方向に沿って隣接配置し、永久磁石２１２ごとに複数の磁気抵抗素子２１４を対向配置させた。この対向配置の際には、隣り合う永久磁石２１２の磁石境界に磁気抵抗素子２１４の高感度域を向き合わせた。また、検知部対向搬送ローラー２０２を構成する複数の搬送ローラー体２０２_1〜２０２_7については、その一つの搬送ローラー体（搬送ローラー体２０２_3と搬送ローラー体２０２_5）を、隣り合う永久磁石２１２の磁石境界を含んで永久磁石２１２と向き合わせ、隣り合う搬送ローラー体、例えば図１４に示すように搬送ローラー体２０２_1〜２０２_2を、搬送ローラー体同士の間隔が永久磁石２１２およびこれに対向する磁気抵抗素子２１４の高感度域と向き合うよう、並べて配置した。
【００５２】
本実施例の現金自動取引装置１００によれば、複数の永久磁石２１２を隣り合う磁石ごとに磁極の向きを変えて搬送路幅方向に沿って隣接配置することで、効率的に磁束を形成できる。こうして隣り合う永久磁石２１２の磁石境界では、既述したように磁束の強い結びつきにより磁束変化が起き難くなり、磁気抵抗素子２１４の検知感度の低下を来しやすい。このように感度低下が起きやすい磁石境界では、搬送ローラー体２０２_3と搬送ローラー体２０２_5をこの磁石境界を含んで永久磁石２１２に向かい合わせることで、紙幣ＳおよびセキュリティースレッドＳＳを磁気抵抗素子２１４に近接させて、セキュリティースレッドＳＳを磁気抵抗素子２１４から遠ざけないようにする。このため、磁石境界に磁気抵抗素子２１４の高感度域を位置させたことと相まって、磁石境界での感度低下を抑制できる（図１３参照）と共に、セキュリティースレッドＳＳによる検知感度のバラツキを顕在化させない。
【００５３】
その一方、隣り合う永久磁石２１２との磁石境界から離れた永久磁石２１２の部位では、磁束の結びつきが弱くなって磁束変化が起き易くなり磁気抵抗素子２１４の検知感度が過剰となり易い。つまり、磁束形成の上から上記した永久磁石２１２の配置を取ると、その構成の上から検知感度の高低のバラツキを生じる。その上で、本実施例では、既述した磁石境界の低感度部位では、搬送ローラー体の配置と磁気抵抗素子２１４の高感度域の配置とにより、感度低下の抑制とセキュリティースレッドＳＳによる検知感度のバラツキを顕在化の抑制を図り、高検知感度部位にあたる永久磁石２１２の部位では、磁気抵抗素子２１４の高感度域の配置による高感度化と、隣り合う搬送ローラー体の配置によるセキュリティースレッドＳＳの磁束変化に及ぼす影響の希釈化とにより、感度過剰を抑制できる（図１４参照）。
【００５４】
また、本実施例では、検知部対向搬送ローラー２０２を構成するそれぞれの搬送ローラー体２０２_1〜２０２_7を、紙幣Ｓの搬送を来すよう駆動回転するようにしたので、検知部対向搬送ローラー２０２による紙幣Ｓの搬送を図りつつ、搬送ジャムの抑制と、セキュリティースレッドＳＳによる検知感度のバラツキの顕在化の抑制を両立できる。検知部対向搬送ローラー２０２を複数の搬送ローラー体２０２_1〜２０２_7で構成することは多用されていることから、各搬送ローラー体の配置位置の変更という簡便な処置が、上記した効果を得ることに寄与する。
【００５５】
次に、変形例について説明する。図１５は図１４相当であり検知部対向搬送ローラー２０２に代わる第１変形例の検知部対向ローラー３００の各対向ローラー体３０２の配置の様子を示す説明図、図１６は検知部対向搬送ローラー２０２に代わる検知部対向体３５０の各対向体３５２の配置の様子を示す説明図である。
【００５６】
図１５に示す変形例では、永久磁石２１２と磁気抵抗素子２１４の配置の様子は、既述した実施例と同じであり、検知部対向ローラー３００の対向ローラー体３０２_1〜３０２_7のサイズは、検知部対向搬送ローラー２０２の搬送ローラー体２０２_1〜２０２_7と同じである。そして、この変形例では、検知部対向ローラー３００の対向ローラー体３０２_1〜３０２_7は、隣り合う対向ローラーとシャフト３０４で連結され、シャフト３０４で連結される各対向ローラーは、重量バランスが取られた上でバネ３０６にて吊り下げ保持されている。こうしてバネ３０６にて吊り下げ保持された対向ローラー体３０２_1〜３０２_7のそれぞれは、その自重とバネ３０６の弾性力とのバランスから上下動可能であると共に、搬送される紙幣Ｓに接触することで回転するよう構成されている。そして、この対向ローラー体３０２_1〜３０２_7のそれぞれにあっても、磁気検知部２１０を通過する紙幣Ｓと磁気検知部２１０との隔たりを調整するよう搬送過程の紙幣Ｓに作用する。
【００５７】
図１６に示す変形例では、永久磁石２１２と磁気抵抗素子２１４の配置の様子は、既述した実施例と同じであり、検知部対向体３５０の対向体３５２_1〜３５２_7の紙面における左右方向、即ち搬送路幅方向のサイズは、検知部対向搬送ローラー２０２の搬送ローラー体２０２_1〜２０２_7のローラー高さと同じである。そして、この変形例では、検知部対向体３５０の対向体３５２_1〜３５２_7は、それぞれがバネ３０６にて吊り下げ保持されている。こうしてバネ３０６にて吊り下げ保持された対向体３５２_1〜３５２_7のそれぞれは、その自重とバネ３０６の弾性力とのバランスから上下動可能であり、磁気検知部２１０を通過する紙幣Ｓと磁気検知部２１０との隔たりを調整するよう搬送過程の紙幣Ｓに作用する。これら変形例にあっても、既述した実施例と同様の効果を奏することができる。
【００５８】
図１７はまた別の変形例における磁気抵抗素子２１４の構成を示す説明図、図１８は図１４相当図でありこの変形例の磁気抵抗素子２１４を用いた場合のその配置の様子を示す説明図である。
【００５９】
図１７に示すように、この変形例では、磁気抵抗素子２１４は、低感度磁気抵抗素子２１４Ｌと高感度磁気抵抗素子２１４Ｈとに分離され、高感度磁気抵抗素子２１４Ｈを中央にして低感度磁気抵抗素子２１４Ｌを並べると、図９に示した単一の磁気抵抗素子２１４に相当することになる。この高感度磁気抵抗素子２１４Ｈと低感度磁気抵抗素子２１４Ｌとは、磁気回路パターンの形成に用いる回路形成材料が相違し、高感度磁気抵抗素子２１４Ｈは、磁気変化に対する感度の高い高感度材料で磁気回路パターンが形成された素子である。低感度磁気抵抗素子２１４Ｌは、磁気変化に対する感度の低い低感度材料で磁気回路パターンが形成された素子である。そして、これら感度が高低の抵抗素子の配置に際しては、図１８に示すように、低感度磁気抵抗素子２１４Ｌと高感度磁気抵抗素子２１４Ｈとを個別に配列すればよく、この変形例によっても、既述した効果を奏することができる。
【００６０】
以上、本発明の実施の形態について説明したが、本発明はこのような実施の形態になんら限定されるものではなく、その要旨を逸脱しない範囲内において種々なる態様での実施が可能である。例えば、図１４〜図１５では、永久磁石２１２と磁気抵抗素子２１４とを鑑別用搬送路４０Ｐにおいて鉛直方向の下方側に位置させ、検知部対向ローラー３００或いは検知部対向体３５０を鉛直方向の上側に位置するようにしたが、この逆に、配置することもできる。この場合には、バネ３０６にて検知部対向ローラー３００や検知部対向体３５０が上下動するようこれらを下側か支えるようにし、バネ３０６の弾発力で検知部対向ローラー３００や検知部対向体３５０を磁気抵抗素子２１４の側に上向きに付勢して、磁気抵抗素子２１４との隔たりを規定内に収まるようにすることもできる。なお、バネ３０６に代えて、弾性或いは弾発力を発揮する他の部材で検知部対向ローラー３００や検知部対向体３５０を係合保持するようにすることもできる。
【００６１】
また、上記の実施例とその変形例では、永久磁石２１２に磁気抵抗素子２１４を向かい合わせたが、磁気抵抗素子２１４については、磁気効果をセンサー検知原理とする磁気センサー、例えば、電流磁気電界効果、磁歪効果、磁歪の逆効果、磁気−インピーダンス効果等をセンサー検知原理とする磁気センサーを利用することができる。
【符号の説明】
【００６２】
３０…紙幣入出金部
３０ａ…入金部
３０ｂ…出金部
３０Ｐａ…入金用搬送路
３０Ｐｂ…出金用搬送路
３１…仕切板
３１Ｇ…ゲート
３２…押圧板
４０…紙幣識別部
４０Ｐ…鑑別用搬送路
４０Ｓ…通過センサー
５０…一時保管庫
５０Ｐａ…一時保管用搬送路
５０Ｓａ…空検知センサー
５０Ｓｂ…満杯検知センサー
６０…紙幣収納庫
６０Ｐ…リジェクト用搬送路
７０…紙幣収納庫
７０Ｐ…収納用搬送路
７１…紙幣用カセット
８０…制御ユニット
８１…主制御部
８２…中央制御部
８３…記憶部
８４…入出金制御部
８５…識別制御部
８５ａ…データ処理部
８５ｂ…真偽識別部
８６…一時保留部制御部
８７…収納庫制御部
９０…回線制御部
９１…センサー駆動部
９２…ゲート駆動部
９３…搬送路モータ駆動部
９４…搬送路移動量計数部
９５…紙幣搬送監視部
１００…現金自動取引装置
１０１…紙幣取扱装置
１０１ａ…上部ユニット
１０１ｂ…金庫ユニット
１０２…硬貨取扱装置
１０３…通帳取扱装置
１０４…カード明細票取扱装置
１０５…顧客操作部
１４２…ガイドプレート
１５０…上流搬送ローラー対
１５２…下流側ローラー対
１５４…光学センサー
２００…磁気識別ユニット
２０２…検知部対向搬送ローラー
２０２_1〜２０２_i…搬送ローラー体
２０４…回転軸
２１０…磁気検知部
２１２…永久磁石
２１４…磁気抵抗素子
２１４Ｈ…高感度磁気抵抗素子
２１４Ｌ…低感度磁気抵抗素子
２１４ｈ…磁気抵抗素子
２１６…電源
２１８…抵抗
２２０…抵抗
２２２…比較器
２２４…増幅器
２２６…ＡＤ変換器
３００…検知部対向ローラー
３０２_1〜３０２_7…対向ローラー体
３０４…シャフト
３０６…バネ
３５０…検知部対向体
３５２_1〜３５２_7…対向体
Ｓ…紙幣
Ｍ…磁束
ＭＰ…磁気回路パターン
ＳＳ…セキュリティースレッド
【図１】
0005603259.tif 000002
【図２】
0005603259.tif 000003
【図３】
0005603259.tif 000004
【図４】
0005603259.tif 000005
【図５】
0005603259.tif 000006
【図６】
0005603259.tif 000007
【図７】
0005603259.tif 000008
【図８】
0005603259.tif 000009
【図９】
0005603259.tif 000010
【図１０】
0005603259.tif 000011
【図１１】
0005603259.tif 000012
【図１２】
0005603259.tif 000013
【図１３】
0005603259.tif 000014
【図１４】
0005603259.tif 000015
【図１５】
0005603259.tif 000016
【図１６】
0005603259.tif 000017
【図１７】
0005603259.tif 000018
【図１８】
0005603259.tif 000019